(57)【要約】【課題】簡単な構成で、分離操作装置の落下を防ぎ、操作性の向上されたファクシミリ装置を提供することである。【解決手段】ファクシミリ本体２３の上部には、載置部２７が閉鎖位置と開放位置とにわたって角変位自在に設けられる。このファクシミリ本体２３の載置部２７には、分離操作装置２２が、落下が阻止された状態で、着脱自在に保持される。ファクシミリ本体２３の載置部２７には、本体側コネクタが設けられる。分離操作装置２２の前記載置部２７に対向する領域には、分離操作装置２２が載置部２７に載置された状態で、前記本体側コネクタに接続する分離側コネクタが設けられる。分離操作装置２２はファクシミリ本体２３の載置部２７に落下が阻止された状態で保持されるので、簡単な構成で、載置部２７を有するカバー体２５を不用意に角変位させても、分離操作装置２２が落下してしまうこと防がれ、使用上の利便性が向上される。【選択図】      図４
2004214978.tif 000002
【特許請求の範囲】
【請求項１】
ファクシミリ本体と、このファクシミリ本体に着脱自在に載置される分離操作装置とを有し、ファクシミリ本体の上部には、前記分離操作装置が載置される載置部が前記分離操作装置を支持する閉鎖位置と前記分離操作装置が重力によって下方に変位する開放位置とにわたって角変位自在に設けられるファクシミリ装置において、
前記ファクシミリ本体の載置部には、本体側端子が設けられ、
分離操作装置の前記載置部に対向する領域には、分離操作装置が載置部に載置された状態で、前記本体側端子に接続する分離側端子が設けられ、
前記分離操作装置は、ファクシミリ本体の載置部に落下が阻止された状態で、着脱自在に保持されることを特徴とするファクシミリ装置。
【請求項２】
前記ファクシミリ本体の載置部には、分離操作装置の前記載置部の載置面に沿う前記下方への変位を阻止する第１係止部と、分離操作装置の前記載置部の載置面に対して垂直な方向への変位を阻止する第２係止部とが設けられ、
前記分離操作装置には、この分離操作装置が前記載置部に載置された状態で、ファクシミリ本体の第１係止部によって前記下方への変位を阻止する第１被係止部と、ファクシミリ本体の第２係止部によって前記垂直な方向への変位を阻止する第２被係止部とが設けられることを特徴とする請求項１記載のファクシミリ装置。
【請求項３】
前記ファクシミリ本体の載置部には、分離操作装置の前記載置部の載置面に沿う前記下方への変位を阻止し、前記本体側端子を備える第１係止部と、分離操作装置の前記載置部の載置面に対して垂直な方向への変位を阻止する第２係止部とが設けられ、
前記分離操作装置には、この分離操作装置が前記載置部に載置された状態で、ファクシミリ本体の第１係止部によって前記下方への変位を阻止し、前記分離側端子を備える第１被係止部と、ファクシミリ本体の第２係止部によって前記垂直な方向への変位を阻止する第２被係止部とが設けられることを特徴とする請求項１記載のファクシミリ装置。
【請求項４】
前記第１係止部には、凹状または凸状の第１嵌合部が設けられ、前記第１被係止部には、前記第１嵌合部に着脱自在に嵌合する凸状または凹状の第２嵌合部が設けられることを特徴とする請求項１〜３のいずれか１つに記載のファクシミリ装置。
【発明の詳細な説明】
【０００１】
【発明の属する技術分野】
本発明は、ファクシミリ本体に、液晶表示部およびキー入力部などを備える分離操作装置が着脱自在に搭載されるファクシミリ装置に関する。
【０００２】
【従来の技術】
第１の従来の技術のファクシミリ装置は、ファクシミリ本体である装置本体と、分離操作装置であるリモート表示装置とを有する。装置本体には、表示装置装着口が設けられており、この表示装置装着口には、リモート表示装置が着脱自在に設けられる（たとえば、特許文献１参照）。
【０００３】
前記第１の従来の技術に類似する第２の従来の技術のファクシミリ装置では、装置本体が基部とカバー体とを有し、カバー体が基部に角変位自在に設けられる。この従来の技術のファクシミリ装置では、操作者がカバー体を角変位させることによって、装置本体が、閉鎖した状態から開放した状態になり、また開放した状態から閉鎖した状態になる。インクリボンの交換および紙詰まりの処理などは、装置本体が開放した状態で、操作者によって行われる。
【０００４】
第３の従来の技術のファクシミリ装置では、装置本体とリモート表示装置とをロックするためのロック機構と、そのロック状態を解除するための解除レバーとが設けられる。
【０００５】
第４の従来の技術のファクシミリ装置では、装置本体とリモート表示装置とが、たとえばケーブル線などによって電気的に接続され、装置本体とリモート表示装置との間で通信が行われるように構成される。
【０００６】
【特許文献１】
特開平１０−３２７２７４号公報
【０００７】
【発明が解決しようとする課題】
前記第１および第２の従来の技術では、リモート表示装置は、表示装置装着口に載置されるだけ、または表示装置装着口に嵌められるだけである。したがって装置本体を閉鎖した状態から開放した状態にしたときに、リモート表示装置が装置本体から落下してしまうという問題がある。
【０００８】
この問題を解決するために、第３の従来の技術では、装置本体とリモート表示装置とをロックするためのロック機構と、そのロック状態を解除するための解除レバーとが設けられる。この従来の技術は、部品点数が多く、かつ装置が大形で、構成が複雑であるという問題がある。
【０００９】
また第４の従来の技術では、装置本体とリモート表示装置とが、たとえばケーブル線などによって接続される。この従来の技術では、装置本体に対するリモート表示装置の可動範囲がケーブル線によって制限される。したがってこの従来の技術では、リモート表示装置を操作者が希望する場所へ移動して使用することができず、操作性が悪いという問題がある。
【００１０】
本発明の目的は、簡単な構成で、分離操作装置の落下を防ぎ、操作性の向上されたファクシミリ装置を提供することである。
【００１１】
【課題を解決するための手段】
本発明は、ファクシミリ本体と、このファクシミリ本体に着脱自在に載置される分離操作装置とを有し、ファクシミリ本体の上部には、前記分離操作装置が載置される載置部が前記分離操作装置を支持する閉鎖位置と前記分離操作装置が重力によって下方に変位する開放位置とにわたって角変位自在に設けられるファクシミリ装置において、
前記ファクシミリ本体の載置部には、本体側端子が設けられ、
分離操作装置の前記載置部に対向する領域には、分離操作装置が載置部に載置された状態で、前記本体側端子に接続する分離側端子が設けられ、
前記分離操作装置は、ファクシミリ本体の載置部に落下が阻止された状態で、着脱自在に保持されることを特徴とするファクシミリ装置である。
【００１２】
本発明に従えば、ファクシミリ本体の載置部には、本体側端子が設けられ、分離操作装置には、分離側端子が設けられる。分離側端子は、分離操作装置が載置部に載置された状態で、前記載置部に対向する領域に設けられる。分離操作装置が載置部に載置された状態では、本体側端子と分離側端子とが接続され、これによってファクシミリ本体と分離操作装置とが接続される。このようにファクシミリ本体と分離操作装置とが接続されるので、前記第４の従来の技術のようにファクシミリ本体に対する分離操作装置の可動範囲がケーブル線によって制限されることがなく、したがって前記第４の従来の技術に比べて、ファクシミリ本体に対して分離操作装置を容易にかつ自由に移動させて使用することができる。このようにして操作性が向上される。
【００１３】
また、分離操作装置はファクシミリ本体の載置部に落下が阻止された状態で保持されるので、たとえば操作者がインクリボンを交換するためおよび紙詰まりを処理するために、前記第３の従来の技術のように、ロック機構および解除レバーなど構成を必要とせず、簡単な構成で、載置部を不用意に角変位させても、分離操作装置が落下してしまうこと防がれ、使用上の利便性が向上される。
【００１４】
前述のように本体側端子と分離側端子とが接続されることによって、たとえば、ファクシミリ本体から分離操作装置へ電力を供給することができる。これによって分離操作装置は、ファクシミリ本体から電力の供給を受けて、作動することができる。また分離操作装置は、装置内部にたとえば充電式電池が内蔵される場合、その充電式電池を充電することができる。また前述のように本体側端子と分離側端子とが接続されることによって、たとえば、ファクシミリ本体と分離操作装置との間で、信号を送受信して、通信することができる。
【００１５】
また本発明は、前記ファクシミリ本体の載置部には、分離操作装置の前記載置部の載置面に沿う前記下方への変位を阻止する第１係止部と、分離操作装置の前記載置部の載置面に対して垂直な方向への変位を阻止する第２係止部とが設けられ、
前記分離操作装置には、この分離操作装置が前記載置部に載置された状態で、ファクシミリ本体の第１係止部によって前記下方への変位を阻止する第１被係止部と、ファクシミリ本体の第２係止部によって前記垂直な方向への変位を阻止する第２被係止部とが設けられることを特徴とする。
【００１６】
本発明に従えば、分離操作装置がファクシミリ本体の載置部に載置された状態で、ファクシミリ本体の載置部に設けられる第１係止部と、分離操作装置に設けられる第１被係止部とが協働して、分離操作装置の前記載置部の載置面に沿う下方への変位を阻止する。またファクシミリ本体の載置部に設けられる第２係止部と、分離操作装置に設けられる第２被係止部とが協働して、分離操作装置の前記載置部の載置面に対して垂直な方向への変位を阻止する。
【００１７】
前述のように分離操作装置の前記載置部の載置面に沿う前記下方への変位、および分離操作装置の前記載置部の載置面に対して垂直な方向への変位が阻止されるので、ファクシミリ本体の載置部を、閉鎖位置から開放位置へ角変位させても、分離操作装置がファクシミリ本体から落下してしまうということがない。このように分離操作装置がファクシミリ本体から落下することが阻止されるので、落下による衝撃力の作用によって分離操作装置が破損してしまうということが防がれる。
【００１８】
また分離操作装置がファクシミリ本体から落下することを阻止するにあたって、前記第３の従来の技術のように、ロック機構および解除レバーなどの構成を必要としないので、構成が簡素化され、部品点数の増加および装置の大形化が防がれる。また前述のように部品点数の増加が防がれるので、製造コストの増加が防がれる。
【００１９】
また本発明は、前記ファクシミリ本体の載置部には、分離操作装置の前記載置部の載置面に沿う前記下方への変位を阻止し、前記本体側端子を備える第１係止部と、分離操作装置の前記載置部の載置面に対して垂直な方向への変位を阻止する第２係止部とが設けられ、
前記分離操作装置には、この分離操作装置が前記載置部に載置された状態で、ファクシミリ本体の第１係止部によって前記下方への変位を阻止し、前記分離側端子を備える第１被係止部と、ファクシミリ本体の第２係止部によって前記垂直な方向への変位を阻止する第２被係止部とが設けられることを特徴とする。
【００２０】
本発明に従えば、分離操作装置がファクシミリ本体の載置部に載置された状態で、ファクシミリ本体の載置部に設けられる第１係止部と、分離操作装置に設けられる第１被係止部とが協働して、分離操作装置の前記載置部の載置面に沿う下方への変位を阻止する。またファクシミリ本体の載置部に設けられる第２係止部と、分離操作装置に設けられる第２被係止部とが協働して、分離操作装置の前記載置部の載置面に対して垂直な方向への変位を阻止する。
【００２１】
前述のように分離操作装置の前記載置部の載置面に沿う前記下方への変位、および分離操作装置の前記載置部の載置面に対して垂直な方向への変位が阻止されるので、ファクシミリ本体の載置部を、閉鎖位置から開放位置へ角変位させても、分離操作装置がファクシミリ本体から落下してしまうということがない。このように分離操作装置がファクシミリ本体から落下することが阻止されるので、落下による衝撃力の作用によって分離操作装置が破損してしまうということが防がれる。
【００２２】
また分離操作装置がファクシミリ本体から落下することを阻止するにあたって、前記第３の従来の技術のように、ロック機構および解除レバーなどの構成を必要としないので、構成が簡素化され、部品点数の増加および装置の大形化が防がれる。また前述のように部品点数の増加が防がれるので、製造コストの増加が防がれる。
【００２３】
さらに前記第１係止部が本体側端子を備え、かつ前記第１被係止部が分離側端子を備えるので、本体側端子および分離側端子を別の部分に設ける場合に比べて、空間を有効に利用して、装置の小形化を実現することができる。
【００２４】
また本発明は、前記第１係止部には、凹状または凸状の第１嵌合部が設けられ、前記第１被係止部には、前記第１嵌合部に着脱自在に嵌合する凸状または凹状の第２嵌合部が設けられることを特徴とする。
【００２５】
本発明に従えば、第１係止部には、凹状または凸状の第１嵌合部が設けられ、第１被係止部には、凸状または凹状の第２嵌合部が設けられる。第２嵌合部は、第１嵌合部に着脱自在に嵌合する。操作者が分離操作装置を載置部に載置するとき、第２嵌合部が第１嵌合部に嵌合していない状態から、第２嵌合部が第１嵌合部に嵌合した状態へ移る。このとき、分離操作装置を手で把持した操作者には、第２嵌合部が第１嵌合部に嵌合したときの衝撃が伝わり、いわゆるロック感の感触を、操作者に与えることができる。これによって分離操作装置が載置部に載置されたことを、操作者に明確に認識させることができる。
【００２６】
【発明の実施の形態】
図１は、本発明の実施の一形態のファクシミリ装置２１を示す正面図である。
図２は、ファクシミリ装置２１の分離操作装置２２を示す斜視図である。本実施の形態のファクシミリ装置２１は、ファクシミリ本体２３および分離操作装置２２を含む。
【００２７】
ファクシミリ本体２３は、基部２４およびカバー体２５を有し、さらに図示しない受話器を有する。ファクシミリ本体２３の設置状態において、基部２４の上方に、カバー体２５が設けられる。このカバー体２５は、操作部２６および載置部２７を有する。操作部２６は、電話番号などを入力するための複数のキーを備える。載置部２７には、後述の分離操作装置２２が載置される。
【００２８】
分離操作装置２２は、偏平な略直方体形状であり、厚み方向の一表面部に、液晶表示部２８およびキー入力部２９を有する。液晶表示部２８は、操作手順および画像などを表示する。キー入力部２９は、液晶表示部２８に表示される表示モードなどを選択し、または切換えるための複数のキーを備える。
【００２９】
図３は、ファクシミリ装置２１の一部を切欠いて示す側面図であり、図３（１）は載置部２７が閉鎖位置に配置された状態を示し、図３（２）は載置部２７が開放位置に配置された状態を示す。ファクシミリ本体２３の基部２４は、略直方体形状である。カバー体２５は、この基部２４の長手方向に延びる予め定める回転軸線Ｌ１まわりに、所定の角度範囲内で角変位自在に設けられる。前記予め定める回転軸線Ｌ１は、基部２４内で、かつ基部２４の短手方向の一側部寄りに配置される。
【００３０】
カバー体２５は、前述の操作部２６および載置部２７と、給紙部３１と、排紙部３２と、これらを保持する保持部３３とを有する。保持部３３は、基部２４に設けられる。この保持部３３は、前記予め定める回転軸線Ｌ１まわりに前記所定の角度範囲内で角変位自在である。保持部３３は、前記予め定める回転軸線Ｌ１から大略的に半径方向外方に延びる。保持部３３の基端部３４には、給紙部３１および排紙部３２が連なる。また保持部３３の遊端部３５には、操作部２６および載置部２７が連なる。
【００３１】
カバー体２５の前記予め定める回転軸線Ｌ１まわりの角変位によって、ファクシミリ本体２３は、閉鎖した状態から開放した状態に移り、また開放した状態から閉鎖した状態に移る。前記閉鎖した状態とは、カバー体２５を基部２４に対して閉鎖した状態であり、保持部３３の遊端部３５が基部２４に近接した状態である。この状態は、前記所定の角度範囲内で、カバー体２５が図３（２）の矢符Ａ１の方向へ最も角変位した状態である。この状態のとき、載置部２７は閉鎖位置に配置される。前記開放した状態とは、カバー体２５を基部２４に対して開放した状態であり、保持部３３の遊端部３５が基部２４から離反した状態である。この状態は、前記所定の角度範囲内で、カバー体２５が図３（２）の矢符Ａ２の方向へ最も角変位した状態である。この状態のとき、載置部２７は開放位置に配置される。
【００３２】
図４は、ファクシミリ装置２１の一部を切欠いて示す側面図であり、図４（１）は分離操作装置２２がファクシミリ本体２３の載置部２７からわずかに離反した状態を示し、図４（２）は分離操作装置２２がファクシミリ本体２３の載置部２７に載置された状態を示す。図５は、操作部２６および載置部２７を示す正面図である。図６は、載置部２７を示す斜視図である。図７は、分離操作装置２２を示す斜視図である。図８は、載置部２７付近を拡大して示す断面図であり、図８（１）は分離操作装置２２がファクシミリ本体２３の載置部２７からわずかに離反した状態を示し、図８（２）は分離操作装置２２がファクシミリ本体２３の載置部２７に載置された状態を示す。カバー体２５の操作部２６および載置部２７は、前記予め定める回転軸線Ｌ１に平行な仮想一平面に沿って設けられる。
【００３３】
カバー体２５を基部２４に対して閉鎖した状態（前述の図３（１）参照）では、前記仮想一平面は、基部２４の短手方向の一側部から他側部に向かう方向に進むにつれて、基部２４に近接するように傾斜する。カバー体２５を基部２４に対して開放した状態（前述の図３（２）参照）では、前記仮想一平面は、基部２４の短手方向の一側部から他側部に向かう方向に進むにつれて、基部２４から離反するように傾斜する。
【００３４】
本実施の形態においては、前記予め定める回転軸線Ｌ１に平行な方向を第１方向Ｂと表記することがある。また前記仮想一平面上で、第１方向Ｂに直交する方向を第２方向Ｃと表記することがある。また前記仮想一平面に直交する方向を第３方向Ｄと表記することがある。
【００３５】
載置部２７は、操作部２６よりも、第２方向Ｃの一方Ｃ１に設けられる。すなわち載置部２７は、操作部２６よりも、前記予め定める回転軸線Ｌ１寄りに設けられる。また載置部２７は、第３方向Ｄに関して、操作部２６よりも、第３方向Ｄの一方Ｄ１に退避している。この載置部２７は、載置面４０と、第１〜第３側面４１〜４３とを有する。載置面４０は、前記仮想一平面に沿って形成される。
載置面４０の第１方向Ｂの一方Ｂ１の縁辺には、第１側面４１が滑らかに湾曲して連なる。また載置面４０の第１方向Ｂの他方Ｂ２の縁辺には、第２側面４２が滑らかに湾曲して連なる。また載置面４０の第２方向Ｃの他方Ｃ２の縁辺には、第３側面４３が滑らかに湾曲して連なる。前記第１〜第３側面４１〜４３は、第３方向Ｄの他方Ｄ２に向かって延びる。
【００３６】
載置部２７は、第１係止部４６および第２係止部４７を有する。第１係止部４６は、載置面４０の第２方向Ｃの一方Ｃ１の縁辺近傍に設けられる。この第１係止部４６は、載置面４０の第１方向Ｂの両縁辺間の中間部に配置される。第１係止部４６は、載置面４０から第３方向Ｄの他方Ｄ２に突出する。第２係止部４７は、第３側面４３に設けられる。この第２係止部４７は、第３側面４３の第１方向Ｂの両縁辺間の中間部に配置される。第２係止部４７は、第３側面４３から第２方向Ｃの一方Ｃ１に突出する。
【００３７】
前記第１係止部４６は、略直方体形状であり、載置面４０に屈曲して連なる第１〜第４側面４６ａ〜４６ｄを有する。第１および第２側面４６ａ，４６ｂは、第１方向Ｂに略垂直であり、第１側面４６ａは第１方向Ｂの一方Ｂ１に臨み、第２側面４６ｂは第１方向Ｂの他方Ｂ２に臨む。第３および第４側面４６ｃ，４６ｄは、第２方向Ｃに略垂直であり、第３側面４６ｃは第２方向Ｃの一方Ｃ１に臨み、第４側面４６ｄは第２方向Ｃの他方Ｃ２に臨む。
【００３８】
前記第２係止部４７の第１方向Ｂの長さＷ１は、載置面４０の第１方向Ｂの長さＷ２の１／３程度に選ばれる。第２係止部４７の第１方向Ｂの長さＷ１が大きすぎると、分離操作装置２２を載置部２７に載置するという作業および分離操作装置２２を載置部２７から分離するという作業が困難になる。また第２係止部４７の第１方向Ｂの長さＷ１が小さすぎると、分離操作装置２２を載置部２７に載置するという作業中に、がたつきが発生しやすく、分離操作装置２２を載置部２７に載置するという作業が困難になる。
【００３９】
前記第２係止部４７は、一体成形によって形成してもよい。すなわち第２係止部４７は、載置部２７の他の部分および操作部２６と一体に形成してもよい。また載置部２７および操作部２６のうち第２係止部４７およびその近傍部分を除く部分を形成し、かつ第２係止部４７およびその近傍部分を別工程で形成して、この後、載置部２７および操作部２６のうち第２係止部４７およびその近傍部分を除く部分に、第２係止部４７およびその近傍部分を装着してもよい。このように第２係止部４７およびその近傍部分を別工程で形成する場合、第２係止部４７およびその近傍部分の材質および形状の選択の自由度が高くなる。第２係止部４７およびその近傍部分の材質および形状を適切に選択することによって、分離操作装置２２をファクシミリ本体２３に載置するという作業中に、摩擦音が少なく、分離操作装置２２をファクシミリ本体２３に滑らかに載置することができる。第２係合部４７およびその近傍部分の材質としては、滑りがよく、かつ磨耗の少ない材質、たとえばポリアセタール系樹脂のポリオキシメチレン（略称ＰＯＭ）が好ましい。
【００４０】
分離操作装置２２は、第１被係止部４８および第２被係止部４９を有する。第１被係止部４８は、分離操作装置２２の厚み方向の他表面部に設けられる。この第１被係止部４８は、分離操作装置２２が載置部２７に載置された状態で、第１係止部４６に対向する領域に配置される。第１被係止部４８は、分離操作装置２２の厚み方向の他表面から退避する。第２被係止部４９は、分離操作装置２２の短手方向の一側部に設けられる。この第２被係止部４９は、分離操作装置２２が載置部２７に載置された状態で、第２係止部４７に対向する領域に配置される。
第２被係止部４９は、分離操作装置２２の短手方向の一側面から退避する。
【００４１】
前記第１被係止部４８は、略直方体形状の凹所を形成する。この第１被係止部４８は、分離操作装置２２の厚み方向の他表面に屈曲して連なる第１〜第４側面４８ａ〜４８ｄと、これらの第１〜第４側面４８ａ〜４８ｄに屈曲して連なる底面４８ｅとを有する。第１および第２側面４８ａ，４８ｂは、分離操作装置２２の長手方向に略垂直である。第３および第４側面４８ｃ，４８ｄは、分離操作装置２２の短手方向に略垂直であり、第３側面４８ｃは分離操作装置２２の短手方向の他側部から一側部に向かう方向に臨み、第４側面４８ｄは分離操作装置２２の短手方向の一側部から他側部に向かう方向に臨む。底面４８ｅは、分離操作装置２２の厚み方向に略垂直である。
【００４２】
前記第２被係止部４９は、分離操作装置２２の短手方向の一側面に屈曲して連なる第１〜第４側面４９ａ〜４９ｄと、これらの第１〜第４側面４９ａ〜４９ｄに屈曲して連なる底面４９ｅとを有する。第１および第２側面４９ａ，４９ｂは、分離操作装置２２の長手方向に略垂直である。第３側面４９ｃは、分離操作装置２２の厚み方向に略垂直であり、分離操作装置２２の厚み方向の他表面部から一表面部に向かう方向に臨む。第４側面４９ｄは、分離操作装置２２の短手方向の一側面から他側面に向かって進むにつれて、分離操作装置２２の厚み方向の一表面部から他表面部に向かう方向に傾斜する。
【００４３】
前記第２被係止部４９には、第４側面４９ｄから底面４９ｅにわたって、シート状の弾性体５７が設けられる。このシート状の弾性体５７は、たとえばゴム材などから成る。このシート状の弾性体５７は、たとえば接着剤などによって、第４側面４９ｄおよび底面４９ｅに接着される。本発明の実施の他の形態では、このシート状の弾性体５７はなくてもよい。
【００４４】
分離操作装置２２をファクシミリ本体２３に載置するにあたっては、まず、図４（１）に示すように、分離操作装置２２の第１被係止部４８と載置部２７の第１係止部４６とが対向し、かつ離反した状態で、分離操作装置２２の第２被係止部４９と載置部２７の第２係止部４７とを当接させる。次に、分離操作装置２２に第２方向Ｃの他方Ｃ２への力を付与しながら、分離操作装置２２の短手方向の他側部を第３方向Ｄの一方Ｄ１に押し下げる。これによって図４（２）に示すように、分離操作装置２２の第１被係止部４８に、載置部２７の第１係止部４６が嵌り込む。このようにして分離操作装置２２がファクシミリ本体２３に載置される。ここで分離操作装置２２の第２被係止部４９に設けられる弾性体５７の弾性力によって、分離操作装置２２は第２方向Ｃの一方Ｃ１への力を受け、これによって第１被係止部４８の第４側面４８ｄと第１係止部４６の第４側面４６ｄとが相互に当接する。
【００４５】
分離操作装置２２をファクシミリ本体２３から分離するにあたっては、図４（２）に示すようにファクシミリ本体２３に載置された分離操作装置２２の短手方向の他側部を第３方向Ｄの他方Ｄ２に引き上げる。分離操作装置２２の第１被係止部４８が載置部２７の第１係止部４６から離反すると、分離操作装置２２の第２被係止部４９に設けられる弾性体５７の弾性力によって、分離操作装置２２は第２方向Ｃの一方Ｃ１への力を受けて、第２方向Ｃの一方Ｃ１へ変位する。これによって分離操作装置２２をファクシミリ本体２３から容易に分離することができる。
【００４６】
ファクシミリ本体２３が閉鎖した状態、すなわち載置部２７が閉鎖位置に配置された状態（前述の図３（１）参照）では、載置面４０は、基部２４の短手方向の一側部から他側部に向かう方向に進むにつれて、基部２４に近接するように傾斜する。この状態では、分離操作装置２２の第３方向Ｄの一方Ｄ１への変位を、載置部２７の載置面４０が阻止し、分離操作装置２２の第２方向Ｃの他方Ｃ２への変位を、載置部２７の第２係止部４７が阻止する。これによって分離操作装置２２がファクシミリ本体２３から落下することが阻止される。また分離操作装置２２の第３方向Ｄの他方Ｄ２への変位を、載置部２７の第２係止部４７と分離操作装置２２の第２被係止部４９とが協働して阻止するので、ファクシミリ本体２３が第３方向Ｄに揺れても、分離操作装置２２がファクシミリ本体２３から落下することが阻止される。
【００４７】
ファクシミリ本体２３が開放した状態、すなわち載置部２７が開放位置に配置された状態（前述の図３（１）参照）では、載置面４０は、基部２４の短手方向の一側部から他側部に向かう方向に進むにつれて、基部２４から離反するように傾斜する。この状態では、分離操作装置２２の第３方向Ｄの一方Ｄ１への変位を、載置部２７の載置面４０が阻止し、分離操作装置２２の第２方向Ｃの一方Ｃ１への変位を、載置部２７の第１係止部４６と分離操作装置２２の第１被係止部４８とが協働して阻止する。これによって分離操作装置２２がファクシミリ本体２３から落下することが阻止される。また分離操作装置２２の第３方向Ｄの他方Ｄ２への変位を、載置部２７の第２係止部４７と分離操作装置２２の第２被係止部４９とが協働して阻止するので、ファクシミリ本体２３が第３方向Ｄに揺れても、分離操作装置２２がファクシミリ本体２３から落下することが阻止される。
【００４８】
載置部２７の第２方向Ｃの一方Ｃ１の部分には、支持台３６が連なる。この支持台３６は、第１延在部３６ａおよび第２延在部３６ｂを有する。第１延在部３６ａは、前記載置部２７の第２方向Ｃの一方Ｃ１の部分から、第２方向Ｃの一方Ｃ１に向かって延びる。この第１延在部３６ａの第２方向Ｃの一方Ｃ１の部分には、第２延在部３６ｂが湾曲して連なる。第２延在部３６は、第２方向Ｃの一方Ｃ１に進むにつれて、第３方向Ｄの他方Ｄ２に傾斜する。分離操作装置２２をファクシミリ本体２３に載置した状態では、第１延在部３６ａは、分離操作装置２２の厚み方向の他表面部に当接して、分離操作装置２２の第３方向Ｄの一方Ｄ１への変位を阻止する。また第２延在部３６ｂは、分離操作装置２２の短手方向の他側部に当接して、分離操作装置２２の第２方向Ｃの一方Ｃ１への変位を阻止する。したがってこの支持台３６を設けることによっても、分離操作装置２２がファクシミリ本体２３から落下することが阻止される。
【００４９】
前記支持台３６は、第１方向Ｂに延びる予め定める回転軸線Ｌ２まわりに、所定の角度範囲内で角変位自在に設けられる。前記予め定める回転軸線Ｌ２は、載置部２７の第２方向Ｃの一方Ｃ１寄りの部分に配置される。給紙作業または排紙作業のときには、載置部２７から分離操作装置２２を分離し、かつ支持台３６を前述の図３（１）の矢符Ｅ１の方向に角変位させることによって、給紙部３１および排紙部３２の近傍の空間が開放されるので、給紙作業および排紙作業が容易となる。また分離操作装置２２がファクシミリ本体２３から分離されているときには、前述の図３（１）の矢符Ｅ１の方向に角変位した支持台３６は、載置部２７を覆う蓋として機能し、載置部２７に塵埃が付くことを防止する。特に、載置部２７に後述の本体側コネクタが設けられる場合には、接触不良の原因となる塵埃が本体側コネクタに付くことを防止し、さらに本体側コネクタと金属類との接触に起因する損傷を回避することができる。また分離操作装置２２がファクシミリ本体２３に載置されるときには、支持台３６を前述の図３（１）の矢符Ｅ２の方向に角変位させることによって、前述のように支持台３６によって分離操作装置２２がファクシミリ本体２３から落下することを阻止することができる。
【００５０】
前記支持台３６は、前述のように予め定める回転軸線Ｌ２まわりに角変位自在に設けられるのではなく、第２方向Ｃに沿ってスライド変位自在に設けられてもよい。これによっても給紙作業または排紙作業のときには、載置部２７から分離操作装置２２を分離し、かつ支持台３６を第２方向Ｃの他方Ｃ２へスライド変位させることによって、給紙部３１および排紙部３２の近傍の空間が開放されるので、給紙作業および排紙作業が容易となる。また分離操作装置２２がファクシミリ本体２３に載置されるときには、支持台３６を第２方向Ｃの一方Ｃ１へスライド変位させることによって、前述のように支持台３６によって分離操作装置２２がファクシミリ本体２３から落下することを阻止することができる。
【００５１】
分離操作装置２２は、中央演算処理装置（Ｃｅｎｔｒａｌ  Ｐｒｏｃｅｓｓｉｎｇ  Ｕｎｉｔ、略称ＣＰＵ）および電源などを有する。電源は、バックアップ用電池および充電式電池などである。ファクシミリ本体２３および分離操作装置２２は、通信機能をそれぞれ有し、たとえばユーエスビー（Ｕｎｉｖｅｒｓａｌ  Ｓｅｒｉａｌ  Ｂｕｓ、略称ＵＳＢ）のようなシリアルインターフェースなどを介して相互に接続される。分離操作装置２２には、図示しない分離側コネクタが設けられ、ファクシミリ本体２３には、図示しない本体側コネクタが設けられる。分離操作装置２２がファクシミリ本体２３に載置された状態では、前記分離側コネクタと本体側コネクタとが直接、相互に接続される。また分離操作装置２２がファクシミリ本体２３から分離した状態では、分離側コネクタと本体側コネクタとは、たとえばケーブル線を介して相互に接続される。
【００５２】
ファクシミリ本体２３および分離操作装置２２は、前述のインターフェースに代えて、たとえばブルートゥース（Ｂｌｕｅｔｏｏｔｈ）またはコードレス通信のような無線インターフェースを介して相互に接続されてもよい。またファクシミリ本体２３および分離操作装置２２は、たとえば赤外線通信のような光結合によるインターフェースを介して相互に接続されてもよい。これらのようにファクシミリ本体２３と分離操作装置２２が接続される場合、操作者は、ファクシミリ本体２３から離反した位置で、分離操作装置２２を操作することができる。
【００５３】
操作者は、分離操作装置２２の液晶表示部２８の表示画面を見ながら、キー入力部２９のキーを操作する。分離操作装置２２は、液晶表示部２８に、タッチパネル、またはペン入力が可能なタブレットなどの機能が備えられてもよいし、さらに音声入力機能が備えられてもよい。
【００５４】
本実施の形態では、分離操作装置２２が載置部２７に載置された状態で、載置部２７に設けられる第１係止部４６と、分離操作装置２２に設けられる第１被係止部４８とが協働して、分離操作装置２２の前記載置部２７の載置面４０に沿う下方への変位を阻止する。また本実施の形態では、分離操作装置２２が載置部２７に載置された状態で、載置部２７に設けられる第２係止部４７と、分離操作装置２２に設けられる第２被係止部４９とが協働して、分離操作装置２２の前記載置部２７の載置面４０に対して垂直な方向への変位を阻止する。
【００５５】
前述のように分離操作装置２２の前記載置部２７の載置面４０に沿う下方への変位、および分離操作装置２２の前記載置部２７の載置面４０に対して垂直な方向への変位が阻止されるので、ファクシミリ本体２３の載置部２７を、閉鎖位置から開放位置へ角変位させても、分離操作装置２２がファクシミリ本体２３から落下してしまうということがない。このように分離操作装置２２がファクシミリ本体２３から落下することが阻止されるので、落下による衝撃力の作用によって分離操作装置２２が破損してしまうということが防がれる。
【００５６】
また分離操作装置２２がファクシミリ本体２３から落下することを阻止するにあたって、前記第３の従来の技術のように、ロック機構および解除レバーなどの構成を必要としないので、構成が簡素化され、部品点数の増加および装置の大形化が防がれる。また前述のように部品点数の増加が防がれるので、製造コストの増加が防がれる。
【００５７】
また本実施の形態では、第２係止部４７と第２被係止部４９とが協働して、分離操作装置２２の第３方向Ｄの他方Ｄ２への変位を阻止するので、載置部２７の載置面４０の第２方向Ｃの長さＷ３を小さくしても、載置部２７は分離操作装置２２を確実に保持することができる。載置面２７の載置面４０の第２方向Ｃの長さＷ３を小さくした場合、給紙部３１および排紙部３２の近傍の空間がより大きく開放されるので、給紙作業および排紙作業が容易となる。
【００５８】
本実施の形態では、第１係止部４６が載置面４０の第１方向Ｂの中間部に配置され、かつ第２係止部４７が第３側面４３の第１方向Ｂの両縁辺間の中間部に配置される。これによって分離操作装置２２を載置部２７に載置するという作業中および分離操作装置２２を載置部２７から分離するという作業中に、第１係止部４６および第２係止部４７から分離操作装置２２に対しては、分離操作装置２２の長手方向の両側部間の中央部に関して対称に力が作用する。したがって分離操作装置２２が載置部２７に対して不所望に傾斜して、第１係止部４６と第１被係止部４８との間に大きな摩擦力が生じてしまうことがなく、分離操作装置２２を載置部２７に滑らかに載置し、かつ分離操作装置２２を載置部２７から滑らかに分離することができる。
【００５９】
前述の実施の形態では、前述のように第１係止部４６は載置部２７の載置面４０に設けられるが、本発明の実施の他の形態では、第１係止部４６は載置部２７の第１および第２側面４１，４２に設けられてもよい。また第１係止部４６の形状は、前述の形状に限定されない。
【００６０】
前述の実施の形態では、第２被係止部４９には、シート状の弾性体５７が設けられるが、本発明の実施の他の形態では、シート状の弾性体５７に代えて、燐青銅などの金属ばね板、またはプラスチックなどを板状に成形したばね部材が設けられてもよい。また本発明の実施のさらに他の形態では、第２係止部４７を弾性体によって構成してもよいし、第２被係止部４９を弾性体によって構成してもよいし、また第２係止部４７および第２被係止部４９の両者を弾性体によって構成してもよい。また本発明の実施のさらに他の形態では、第２係止部４７およびその近傍部分と、載置部２７および操作部２６のうち第２係止部４７およびその近傍部分を除く部分とが個別に形成される場合、第２係止部４７およびその近傍部分を、載置部２７および操作部２６のうち第２係止部４７の近傍部分を除く部分に対して、弾発的に装着してもよい。前述の実施の各形態では、分離操作装置２２が載置部２７に載置された状態で、分離操作装置２２に第２方向Ｃの一方Ｃ１への力が与えられ、これによって第１被係止部４８の第４側面４８ｄと第１係止部４６の第４側面４６ｄとが弾発的に相互に当接する。
【００６１】
図９は、本発明の実施のさらに他の形態のファクシミリ装置の一部を切欠いて示す側面図であり、図９（１）は分離操作装置２２がファクシミリ本体２３の載置部２７からわずかに離反した状態を示し、図９（２）は分離操作装置２２がファクシミリ本体２３の載置部２７に載置された状態を示す。図１０は、ファクシミリ装置の載置部２７付近を拡大して示す断面図であり、図１０（１）は分離操作装置２２がファクシミリ本体２３の載置部２７からわずかに離反した状態を示し、図１０（２）は分離操作装置２２がファクシミリ本体２３の載置部２７に載置された状態を示す。本実施の形態のファクシミリ装置は、前述の図１〜図８に示すファクシミリ装置２１に類似するので、同様の部分は同一の参照符を付して説明を省略する。注目すべき点は、第１係止部４６は、本体側端子である本体側コネクタ６１を備え、第１被係止部４８は、分離側端子である分離側コネクタ６２を備えることである。
【００６２】
第１係止部４６は、載置面４０から突出する前記本体側コネクタ６１と、載置面４０から突出し、前記本体側コネクタ６１を外囲する外壁とを有する。前記分離側コネクタ６２は、第１被係止部４８の底面４８ｅから突出する。
【００６３】
本実施の形態では、ファクシミリ本体２３の載置部２７には、本体側コネクタ６１が設けられ、分離操作装置２２には、分離側コネクタ６２が設けられる。分離側コネクタ６２は、分離操作装置２２が載置部２７に載置された状態で、本体側コネクタ６１に対向して設けられる。分離操作装置２２が載置部２７に載置された状態では、本体側コネクタ６１と分離側コネクタ６２とが接続され、これによってファクシミリ本体２３と分離操作装置２２とが接続される。このようにファクシミリ本体２３と分離操作装置２２とが接続されるので、前記第４の従来の技術のようにファクシミリ本体２３に対する分離操作装置２２の可動範囲がケーブル線によって制限されることがなく、したがって前記第４の従来の技術に比べて、ファクシミリ本体２３に対して分離操作装置２２を容易にかつ自由に移動させて使用することができる。このようにして操作性が向上される。
【００６４】
また、分離操作装置２２はファクシミリ本体２３の載置部２７に落下が阻止された状態で保持されるので、たとえば操作者がインクリボンを交換するためおよび紙詰まりを処理するために、前記第３の従来の技術のように、ロック機構および解除レバーなど構成を必要とせず、簡単な構成で、載置部２７を有するカバー体２５を不用意に角変位させても、分離操作装置２２が落下してしまうこと防がれ、使用上の利便性が向上される。
【００６５】
前述のように本体側コネクタ６１と分離側コネクタ６２とが接続されることによって、たとえば、ファクシミリ本体２３から分離操作装置２２へ電力を供給することができる。これによって分離操作装置２２は、ファクシミリ本体２３から電力の供給を受けて、作動することができる。また分離操作装置２２は、装置内部にたとえば充電式電池が内蔵される場合、その充電式電池を充電することができる。また前述のように本体側コネクタ６１と分離側コネクタ６２とが接続されることによって、たとえば、ファクシミリ本体２３と分離操作装置２２との間で、信号を送受信して、通信することができる。
【００６６】
さらに第１係止部４６が本体側コネクタ６１を備え、かつ第１被係止部４８が分離側コネクタ６２を備えるので、本体側コネクタ６１および分離側コネクタ６２を別の部分に設ける場合に比べて、空間を有効に利用して、装置の小形化を実現することができる。また分離操作装置２２が載置部２７に載置された状態では、本体側コネクタ６１および分離側コネクタ６２は、ファクシミリ装置２１の外方に露出していないので、本体側コネクタ６１および分離側コネクタ６２に塵埃が付着することが防がれる。
【００６７】
本実施の形態では、第１係止部４６の第４側面４６ｄと第１被係止部４８の第４側面４８ｄとの当接によって、分離操作装置２２の第２方向Ｃの一方Ｃ１への変位を阻止してもよい。また第１係止部４６の本体側コネクタ６１と第１被係止部４８の分離側コネクタ６２との当接によって分離操作装置２２の第２方向Ｃの一方Ｃ１への変位を阻止してもよい。さらには、第１係止部４６の第４側面４６ｄと第１被係止部４８の第４側面４８ｄとの当接、および第１係止部４６の本体側コネクタ６１と第１被係止部４８の分離側コネクタ６２との当接によって、分離操作装置２２の第２方向Ｃの一方Ｃ１への変位を阻止してもよい。
【００６８】
図１１は、本発明の実施のさらに他の形態のファクシミリ装置の載置部２７付近を拡大して示す断面図である。本実施の形態のファクシミリ装置は、前述の図１〜図８に示すファクシミリ装置２１に類似するので、同様の部分は同一の参照符を付して説明を省略する。注目すべき点は、第１係止部４６は、本体側端子である本体側電極６６を備え、第１被係止部４８は、分離側端子である分離側電極６７を備えることである。
【００６９】
本体側電極６６は、第１係止部４６の第４側面４６ｄに設けられ、分離側電極６７は、第１被係止部４８の第４側面４８ｄに設けられる。前記本体側電極６６は、たとえば無電界メッキなどによって、第１係止部４６の第４側面４６ｄに形成することができる。また厚みの小さい金属板電極を第１係止部４６に装着し、この装着した金属板電極を、本体側電極６６としてもよい。前記分離側電極６７も、たとえば無電界メッキなどによって、第１被係止部４８の第４側面４８ｄに形成することができる。また厚みの小さい金属板電極を第１被係止部４８に装着し、この装着した金属板電極を、分離側電極６７としてもよい。
【００７０】
分離操作装置２２がファクシミリ本体２３に載置された状態では、分離操作装置２２の第２被係止部４９に設けられる弾性体５７の弾性力によって、分離操作装置２２は第２方向Ｃの一方Ｃ１への力を受け、これによって第１被係止部４８の第４側面４８ｄに設けられる分離側電極６７と第１係止部４６の第４側面４６ｄに設けられる本体側電極６６とが相互に当接する。このようにして第１被係止部４８の分離側電極６７と第１係止部４６の本体側電極６６が接続され、これによってファクシミリ本体２３と分離操作装置２２とが接続される。
【００７１】
図１２は、本発明の実施のさらに他の形態のファクシミリ装置の載置部２７付近を拡大して示す断面図である。本実施の形態のファクシミリ装置は、前述の図１〜図８に示すファクシミリ装置２１に類似するので、同様の部分は同一の参照符を付して説明を省略する。注目すべき点は、第２係止部４７に代えて、金属から成る第２係止部７１が設けられ、弾性体５７に代えて、ばね電極７２が設けられることである。第２係止部７１は本体側端子として設けられ、ばね電極７２は分離側端子として設けられる。
【００７２】
第２係止部７１およびばね電極７２は、複数種類の信号および電力を送受することができるように、複数にそれぞれ分割されている。ばね電極７２としては、たとえば燐青銅から成る金属板、および表面に電極が形成されたフレキシブル基板などが好ましい。
【００７３】
図１３は、本発明の実施のさらに他の形態のファクシミリ装置の載置部２７付近を拡大して示す断面図である。本実施の形態のファクシミリ装置は、前述の図１〜図８に示すファクシミリ装置２１に類似するので、同様の部分は同一の参照符を付して説明を省略する。注目すべき点は、第２係止部４７に代えて、金属から成る第２係止部７６が設けられ、第２被係止部４９の第３側面４９ｃに電極７７が設けられることである。第２係止部７６は本体側端子として設けられ、電極７７は分離側端子として設けられる。
【００７４】
第２係止部７６および電極７７は、複数種類の信号および電力を送受することができるように、複数にそれぞれ分割されている。本実施の形態では、第２被係止部４９の第３側面４９ｃに電極７７が設けられるが、本発明の実施のさらに他の形態では、第２被係止部４９の第３側面４９ｃと分離操作装置２２の他表面とに挟まれる領域全体を、金属によって形成して、電極としてもよい。
【００７５】
図１４は、本発明の実施のさらに他の形態のファクシミリ装置の載置部２７付近を拡大して示す断面図である。本実施の形態のファクシミリ装置は、前述の図１〜図８に示すファクシミリ装置２１に類似するので、同様の部分は同一の参照符を付して説明を省略する。注目すべき点は、載置部２７には、本体側端子である本体側電極８１が設けられ、分離操作装置２２には、分離側端子である分離側電極８２が設けられる。
【００７６】
本体側電極８１は、第１係止部４６と第２係止部４７との間に配置される。分離側電極８２は、分離操作装置２２が載置部２７に載置された状態で、本体側電極８１に対向する領域に配置される。分離操作装置２２が載置部２７に載置された状態では、本体側電極８１と分離側電極８２とが接続され、これによってファクシミリ本体２３と分離操作装置２２とが接続される。
【００７７】
図１４に示す実施の形態では、本体側電極８１および分離側電極８２が露出しているが、本発明の実施のさらに他の形態では、各電極８１，８２を誘電体で覆ってもよい。この実施の形態では、静電誘導によって信号を送受することができる。また本発明の実施のさらに他の形態では、各電極８１，８２に代えて、本体側端子および分離側端子としてコイルがそれぞれ設けられる。この実施の形態では、電磁誘導によって信号を送受することができる。また本発明の実施のさらに他の形態では、各電極８１，８２に代えて、本体側端子および分離側端子としてアンテナがそれぞれ設けられる。この実施の形態では、電波を介して信号を送受信することができる。また本発明の実施のさらに他の形態では、各電極８１，８２に代えて、本体側端子および分離側端子として発光ダイオードのような発光素子とフォトトランジスタのような受光素子とをそれぞれ設けてもよい。この実施の形態では、発光素子と受光素子との光結合によって、信号を送受することができる。
【００７８】
また本発明の実施のさらに他の形態では、前述の本体側電極８１が第１係止部４６の上部に設けられ、前述の分離側電極８２が第１被係止部４８に設けられてもよい。この実施の形態では、本体側電極８１および本体側電極８２が露出しているが、本発明の実施のさらに他の形態では、各電極８１，８２を誘電体で覆ってもよい。また本発明の実施のさらに他の形態では、前述の各コイルが、第１係止部４６の上部と、第１被係止部４８とにそれぞれ設けられてもよい。また本発明の実施のさらに他の形態では、前述の各アンテナが、第１係止部４６の上部と、第１被係止部４８とにそれぞれ設けられてもよい。また本発明の実施のさらに他の形態では、前述の発光素子および受光素子が、第１係止部４６の上部と、第１被係止部４８とにそれぞれ設けられてもよい。
【００７９】
また本発明の実施のさらに他の形態では、分離操作装置２２が載置部２７に載置された状態では、本体側端子および分離側端子を介しては、ファクシミリ本体２３から分離操作装置２２へ電力を供給するだけとし、通信に関しては、ファクシミリ本体２３から分離操作装置２２が分離したときの通信手段を用いてもよい。また本発明の実施のさらに他の形態では、前述の実施の各形態を組み合せてもよい。
【００８０】
また前述の実施の各形態では、第１係止部４６は、載置面４０から第３方向Ｄの他方Ｄ２に突出し、第１被係止部４８は、分離操作装置２２の厚み方向の他表面から退避するが、本発明の実施のさらに他の形態では、第１係止部４６は、載置面４０から第３方向Ｄの一方Ｄ１に退避し、第１被係止部４８は、分離操作装置２２の厚み方向の他表面から突出してもよい。
【００８１】
図１５は、本発明の実施のさらに他の形態のファクシミリ装置の分離操作装置を示す背面図である。図１６は、ファクシミリ装置の載置部２７付近を拡大して示す断面図である。図１７は、第１係止部４６および第１被係止部４８を拡大して示す平面図である。図１８は、第１係止部４６および第１被係止部４８を拡大して示す断面図である。本実施の形態のファクシミリ装置は、前述の図９および図１０に示すファクシミリ装置に類似するので、同様の部分は同一の参照符を付して説明を省略する。注目すべき点は、第１係止部４６には、凹状の第１嵌合部８６が設けられ、第１被係止部４８には、凸状の第２嵌合部８７が設けられる。
【００８２】
第１嵌合部８６は、第１係止部４６の第２方向Ｃの他方Ｃ２側の側部に設けられる。この第１嵌合部８６は、載置面４０寄りの部分が第２方向Ｃの一方Ｃ１へ退避する。第１被係止部４８は、前記第４側面４８ｄの一部が、分離操作装置２２の短手方向の他側部から一側部に向かう方向へ退避する。これによって形成される凹所には、スライド片８８が、分離操作装置２２の短手方向に沿ってスライド変位自在に設けられる。このスライド片８８に、第１被係止部４８が設けられる。第２嵌合部８７は、スライド片８８の、分離操作装置２２の短手方向の一側部から他側部に向かう方向寄りの側部に設けられる。この第２嵌合部８７は、分離操作装置２２の厚み方向の他表面部から一表面部に向かう方向に進むにつれて、分離操作装置２２の短手方向の一側部から他側部に向かう方向に傾斜する第１傾斜面８９と、第１傾斜面８９に連なり、分離操作装置２２の厚み方向の他表面部から一表面部に向かう方向に進むにつれて、分離操作装置２２の短手方向の他側部から一側部に向かう方向に傾斜する第２傾斜面９０とを有する。
【００８３】
スライド片８８には、分離操作装置２２の短手方向の他側部から一側部に向かう方向寄りの側部に凹所９１が形成される。この凹所９１には、分離操作装置２２の短手方向に延びる圧縮ばね部材９２が設けられる。圧縮ばね部材９２は、スライド片８８に対して、分離操作装置２２の短手方向の一側部から他側部に向かう方向に力を与えることができる。
【００８４】
本実施の形態では、スライド片８８が前述のようにスライド変位するので、第２嵌合部８７は、第１嵌合部８６に着脱自在に嵌合する。操作者が分離操作装置２２を載置部２７に載置するとき、第２嵌合部８７が第１嵌合部８６に嵌合していない状態から、第２嵌合部８７が第１嵌合部８６に嵌合した状態へ移る。このとき、分離操作装置２２を手で把持した操作者には、第２嵌合部８７が第１嵌合部８６に嵌合したときの衝撃が伝わり、いわゆるロック感の感触を、操作者に与えることができる。これによって分離操作装置２２が載置部２７に載置されたことを、操作者に明確に認識させることができる。
【００８５】
本実施の形態では、第１係止部４６には、凹状の第１嵌合部８６が設けられ、第１被係止部４８には、凸状の第２嵌合部８７が設けられるが、本発明の実施のさらに他の形態では、第１係止部４６には、凸状の第１嵌合部が設けられ、第１被係止部４８には、凹状の第２嵌合部が設けられてもよい。
【００８６】
【発明の効果】
以上のように本発明によれば、ファクシミリ本体の載置部には、本体側端子が設けられ、分離操作装置には、分離側端子が設けられる。分離側端子は、分離操作装置が載置部に載置された状態で、前記載置部に対向する領域に設けられる。
分離操作装置が載置部に載置された状態では、本体側端子と分離側端子とが接続され、これによってファクシミリ本体と分離操作装置とが接続される。このようにファクシミリ本体と分離操作装置とが接続されるので、前記第４の従来の技術のようにファクシミリ本体に対する分離操作装置の可動範囲がケーブル線によって制限されることがなく、したがって前記第４の従来の技術に比べて、ファクシミリ本体に対して分離操作装置を容易にかつ自由に移動させて使用することができる。このようにして操作性が向上される。
【００８７】
また、分離操作装置はファクシミリ本体の載置部に落下が阻止された状態で保持されるので、たとえば操作者がインクリボンを交換するためおよび紙詰まりを処理するために、前記第３の従来の技術のように、ロック機構および解除レバーなど構成を必要とせず、簡単な構成で、載置部を不用意に角変位させても、分離操作装置が落下してしまうこと防がれ、使用上の利便性が向上される。
【００８８】
前述のように本体側端子と分離側端子とが接続されることによって、たとえば、ファクシミリ本体から分離操作装置へ電力を供給することができる。これによって分離操作装置は、ファクシミリ本体から電力の供給を受けて、作動することができる。また分離操作装置は、装置内部にたとえば充電式電池が内蔵される場合、その充電式電池を充電することができる。また前述のように本体側端子と分離側端子とが接続されることによって、たとえば、ファクシミリ本体と分離操作装置との間で、信号を送受信して、通信することができる。
【００８９】
また本発明によれば、分離操作装置がファクシミリ本体の載置部に載置された状態で、ファクシミリ本体の載置部に設けられる第１係止部と、分離操作装置に設けられる第１被係止部とが協働して、分離操作装置の前記載置部の載置面に沿う下方への変位を阻止する。またファクシミリ本体の載置部に設けられる第２係止部と、分離操作装置に設けられる第２被係止部とが協働して、分離操作装置の前記載置部の載置面に対して垂直な方向への変位を阻止する。
【００９０】
前述のように分離操作装置の前記載置部の載置面に沿う前記下方への変位、および分離操作装置の前記載置部の載置面に対して垂直な方向への変位が阻止されるので、ファクシミリ本体の載置部を、閉鎖位置から開放位置へ角変位させても、分離操作装置がファクシミリ本体から落下してしまうということがない。このように分離操作装置がファクシミリ本体から落下することが阻止されるので、落下による衝撃力の作用によって分離操作装置が破損してしまうということが防がれる。
【００９１】
また分離操作装置がファクシミリ本体から落下することを阻止するにあたって、前記第３の従来の技術のように、ロック機構および解除レバーなどの構成を必要としないので、構成が簡素化され、部品点数の増加および装置の大形化が防がれる。また前述のように部品点数の増加が防がれるので、製造コストの増加が防がれる。
【００９２】
また本発明によれば、分離操作装置がファクシミリ本体の載置部に載置された状態で、ファクシミリ本体の載置部に設けられる第１係止部と、分離操作装置に設けられる第１被係止部とが協働して、分離操作装置の前記載置部の載置面に沿う下方への変位を阻止する。またファクシミリ本体の載置部に設けられる第２係止部と、分離操作装置に設けられる第２被係止部とが協働して、分離操作装置の前記載置部の載置面に対して垂直な方向への変位を阻止する。
【００９３】
前述のように分離操作装置の前記載置部の載置面に沿う前記下方への変位、および分離操作装置の前記載置部の載置面に対して垂直な方向への変位が阻止されるので、ファクシミリ本体の載置部を、閉鎖位置から開放位置へ角変位させても、分離操作装置がファクシミリ本体から落下してしまうということがない。このように分離操作装置がファクシミリ本体から落下することが阻止されるので、落下による衝撃力の作用によって分離操作装置が破損してしまうということが防がれる。
【００９４】
また分離操作装置がファクシミリ本体から落下することを阻止するにあたって、前記第３の従来の技術のように、ロック機構および解除レバーなどの構成を必要としないので、構成が簡素化され、部品点数の増加および装置の大形化が防がれる。また前述のように部品点数の増加が防がれるので、製造コストの増加が防がれる。
【００９５】
さらに前記第１係止部が本体側端子を備え、かつ前記第１被係止部が分離側端子を備えるので、本体側端子および分離側端子を別の部分に設ける場合に比べて、空間を有効に利用して、装置の小形化を実現することができる。
【００９６】
また本発明によれば、第１係止部には、凹状または凸状の第１嵌合部が設けられ、第１被係止部には、凸状または凹状の第２嵌合部が設けられる。第２嵌合部は、第１嵌合部に着脱自在に嵌合する。操作者が分離操作装置を載置部に載置するとき、第２嵌合部が第１嵌合部に嵌合していない状態から、第２嵌合部が第１嵌合部に嵌合した状態へ移る。このとき、分離操作装置を手で把持した操作者には、第２嵌合部が第１嵌合部に嵌合したときの衝撃が伝わり、いわゆるロック感の感触を、操作者に与えることができる。これによって分離操作装置が載置部に載置されたことを、操作者に明確に認識させることができる。
【図面の簡単な説明】
【図１】本発明の実施の一形態のファクシミリ装置２１を示す正面図である。
【図２】ファクシミリ装置２１の分離操作装置２２を示す斜視図である。
【図３】ファクシミリ装置２１の一部を切欠いて示す側面図であり、図３（１）は載置部２７が閉鎖位置に配置された状態を示し、図３（２）は載置部２７が開放位置に配置された状態を示す。
【図４】ファクシミリ装置２１の一部を切欠いて示す側面図であり、図４（１）は分離操作装置２２がファクシミリ本体２３の載置部２７からわずかに離反した状態を示し、図４（２）は分離操作装置２２がファクシミリ本体２３の載置部２７に載置された状態を示す。
【図５】操作部２６および載置部２７を示す正面図である。
【図６】載置部２７を示す斜視図である。
【図７】分離操作装置２２を示す斜視図である。
【図８】載置部２７付近を拡大して示す断面図であり、図８（１）は分離操作装置２２がファクシミリ本体２３の載置部２７からわずかに離反した状態を示し、図８（２）は分離操作装置２２がファクシミリ本体２３の載置部２７に載置された状態を示す。
【図９】本発明の実施のさらに他の形態のファクシミリ装置の一部を切欠いて示す側面図であり、図９（１）は分離操作装置２２がファクシミリ本体２３の載置部２７からわずかに離反した状態を示し、図９（２）は分離操作装置２２がファクシミリ本体２３の載置部２７に載置された状態を示す。
【図１０】ファクシミリ装置の載置部２７付近を拡大して示す断面図であり、図１０（１）は分離操作装置２２がファクシミリ本体２３の載置部２７からわずかに離反した状態を示し、図１０（２）は分離操作装置２２がファクシミリ本体２３の載置部２７に載置された状態を示す。
【図１１】本発明の実施のさらに他の形態のファクシミリ装置の載置部２７付近を拡大して示す断面図である。
【図１２】本発明の実施のさらに他の形態のファクシミリ装置の載置部２７付近を拡大して示す断面図である。
【図１３】本発明の実施のさらに他の形態のファクシミリ装置の載置部２７付近を拡大して示す断面図である。
【図１４】本発明の実施のさらに他の形態のファクシミリ装置の載置部２７付近を拡大して示す断面図である。
【図１５】本発明の実施のさらに他の形態のファクシミリ装置の分離操作装置を示す背面図である。
【図１６】ファクシミリ装置の載置部２７付近を拡大して示す断面図である。
【図１７】第１係止部４６および第１被係止部４８を拡大して示す平面図である。
【図１８】第１係止部４６および第１被係止部４８を拡大して示す断面図である。
【符号の説明】
２１  ファクシミリ装置
２２  分離操作装置
２３  ファクシミリ本体
２７  載置部
４０  載置面
４６  第１係止部
４７，７１，７６  第２係止部
４８  第１被係止部
４９  第２被係止部
６１  本体側コネクタ
６２  分離側コネクタ
６６，８１  本体側電極
６７，８２  分離側電極
７２  バネ電圧
７７  電極
８６  第１嵌合部
８７  第２嵌合部
【図１】
2004214978.tif 000003
【図２】
2004214978.tif 000004
【図３】
2004214978.tif 000005
【図４】
2004214978.tif 000006
【図５】
2004214978.tif 000007
【図６】
2004214978.tif 000008
【図７】
2004214978.tif 000009
【図８】
2004214978.tif 000010
【図９】
2004214978.tif 000011
【図１０】
2004214978.tif 000012
【図１１】
2004214978.tif 000013
【図１２】
2004214978.tif 000014
【図１３】
2004214978.tif 000015
【図１４】
2004214978.tif 000016
【図１５】
2004214978.tif 000017
【図１６】
2004214978.tif 000018
【図１７】
2004214978.tif 000019
【図１８】
2004214978.tif 000020